【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
製品を覆うためのシートであって、保護される製品から見て外側および内側を有する高反射性透湿性基材でできた少なくとも１つの層を含み、制御された透湿性を供給しながら高反射低対流による断熱を供給するために、前記内側が少なくとも１つの適切な放射率を実現する金属層をさらに含む、シート。
【請求項２】
請求項１に記載の少なくとも２つの反射シートと、前記少なくとも２つの反射シートの間の断熱空間層（６）とを含む、複合シート。
【請求項３】
製品を覆うための難燃性シートであって、保護される製品から見て外側および内側を有する高反射性透湿性基材でできた少なくとも１つの層を含み、前記内側または前記外側またはその両方が少なくとも１つの金属層をさらに含み、前記内側が難燃層をさらに含む、難燃性シート。
【請求項４】
請求項１または２に記載の反射シートと、請求項３に記載の難燃性シートとを含む、複合シート。
【請求項５】
製品を覆うための難燃性シートであって、外側および内側を有する耐火性繊維混合物の少なくとも１つの層と、前記外側または前記内側またはその両方における少なくとも１つの金属層とを含む、難燃性シート。
【請求項６】
請求項１に記載の反射シートと、請求項５に記載の難燃性シートとを含む、複合シート。
【請求項７】
製品用のカバーであって、請求項１または２に記載の少なくとも１つの反射シート、あるいは請求項４または請求項６に記載の複合シートを含み、前記反射シートの前記金属層を有する側が前記製品に向けられる、カバー。
【請求項８】
製品のカバーを形成するための、請求項１または２に記載の反射シート、あるいは請求項３または５に記載の難燃性シート、あるいは請求項４または６に記載の複合シート、あるいは請求項７に記載のカバーの、単独または互いに組み合わせての使用であって、前記反射シートの前記金属層を有する側が前記製品に向けられる、使用。
【請求項９】
請求項１または２に記載の反射シート、あるいは請求項４または６に記載の複合シート、あるいは請求項７に記載のカバーで覆われた製品であって、前記反射シートの前記金属層を有する側が前記製品に向けられる、製品。
【手続補正２】
【補正対象書類名】明細書
【補正対象項目名】０１２１
【補正方法】変更
【補正の内容】
【０１２１】
上記の例および値は説明のみを目的としており、限定しているものと解釈すべきではない。本発明の異なる実施形態を互いに組み合わせて、覆われる製品の個別の条件（たとえば許容される温度範囲、呼吸、気体生成、熱発生、湿気に対する影響など）に適合し、輸送中に生じる条件に適合する製品（すなわちシートまたはカバー）を形成することができる。
次に、本発明の好ましい態様を示す。
１．製品を覆うためのシートであって、保護される製品から見て外側および内側を有する高反射性透湿性基材でできた少なくとも１つの層を含み、制御された透湿性を供給しながら高反射低対流による断熱を供給するために、前記内側が少なくとも１つの適切な放射率を実現する金属層をさらに含む、シート。
２．前記少なくとも１つの金属層が物理蒸着（ＰＶＤ）プロセスによって堆積される、上記１に記載のシート。
３．前記高反射性透湿性基材が、１種類以上の天然または合成の繊維またはフィラメントを含む不織布または織布である、上記１または２に記載のシート。
４．前記高反射性透湿性基材がフラッシュ紡糸不織布である、上記１〜３のいずれか一に記載のシート。
５．前記金属層上に堆積またはコーティングされた保護層をさらに含む、上記１〜４のいずれか一に記載のシート。
６．その内側に、制御された透湿性の難燃層をさらに含む、上記１〜５のいずれか一に記載のシート。
７．前記難燃層が制御された透湿性のコーティングまたは繊維を含む、上記６に記載のシート。
８．その内側に制御された透湿性の断熱空間層をさらに含む、上記１〜７のいずれか一に記載のシート。
９．前記透湿性の断熱空間層が、生物系資源から本質的に得られるフォームを含む、上記８に記載のシート。
１０．前記生物系資源が植物油、ならびに天然または合成のタンニン類を含む、上記９に記載のシート。
１１．冷却剤、蒸発部分（ＥＰ）、および凝縮部分（ＣＰ）を含む封止層を含み、それによって前記冷却剤は前記蒸発部分に流れて蒸発して、前記凝縮部分に向かい、次に凝縮することで、熱を放散させる、上記１〜１０のいずれか一に記載のシート。
１２．前記凝縮部分が前記金属層に接触する、上記１１に記載のシート。
１３．前記断熱空間層の片側または両側に取り付けられた接着層または接着促進層をさらに含む、上記７〜１２のいずれか一に記載のシート。
１４．上記１〜１３のいずれか一に記載の少なくとも２つの反射シートと、前記少なくとも２つの反射シートの間の断熱空間層（６）とを含む、複合シート。
１５．製品を覆うための難燃性シートであって、保護される製品から見て外側および内側を有する高反射性透湿性基材でできた少なくとも１つの層を含み、前記内側または前記外側またはその両方が少なくとも１つの金属層をさらに含み、前記内側が難燃層をさらに含む、難燃性シート。
１６．物理蒸着（ＰＶＤ）プロセスによって前記少なくとも１つの金属層が堆積される、上記１５に記載の難燃性シート。
１７．前記高反射性透湿性基材が、１種類以上の天然または合成の繊維またはフィラメントを含む不織布または織布である、上記１５または１６に記載の難燃性シート。
１８．前記高反射性透湿性基材がフラッシュ紡糸不織布である、上記１５〜１７のいずれか一に記載の難燃性シート。
１９．前記金属層上に堆積された保護層または保護コーティングをさらに含む、上記１５〜１８のいずれか一に記載の難燃性シート。
２０．上記１〜１４のいずれか一に記載の反射シートと、上記１５〜１９のいずれか一に記載の難燃性シートとを含む、複合シート。
２１．製品を覆うための難燃性シートであって、外側および内側を有する耐火性繊維混合物の少なくとも１つの層と、前記外側または前記内側またはその両方における少なくとも１つの金属層とを含む、難燃性シート。
２２．前記少なくとも１つの金属層が物理蒸着（ＰＶＤ）プロセスによって堆積される、上記２１に記載の難燃性シート。
２３．前記金属層上に保護層が堆積またはコーティングされる、上記２１または２２に記載の難燃性シート。
２４．上記１〜１３のいずれか一に記載の反射シートと、上記２１〜２３のいずれか一に記載の難燃性シートとを含む、複合シート。
２５．製品用のカバーであって、上記１〜１４のいずれか一に記載の少なくとも１つの反射シート、あるいは上記２０または上記２４に記載の複合シートを含み、前記反射シートの前記金属層を有する側が前記製品に向けられる、カバー。
２６．温度に敏感な製品のためのカバーである、上記２５に記載のカバー。
２７．腐敗しやすい製品、あるいは電気または電子デバイスのためのカバーである、上記２６に記載のカバー。
２８．製品のカバーを形成するための、上記１〜１４のいずれか一に記載の反射シート、あるいは上記１５〜１９および２１〜２３のいずれか一に記載の難燃性シート、あるいは上記２０または２４に記載の複合シート、あるいは上記２５〜２７のいずれか一に記載のカバーの、単独または互いに組み合わせての使用であって、前記反射シートの前記金属層を有する側が前記製品に向けられる、使用。
２９．上記１〜１４のいずれか一に記載の反射シート、あるいは上記２０または２４に記載の複合シート、あるいは上記２５〜２７のいずれか一に記載のカバーで覆われた製品であって、前記反射シートの前記金属層を有する側が前記製品に向けられる、製品。